(57)【要約】【課題】安価なコストによって作製でき、汎用性が優れるバックミラー組立部品を提供する。【解決手段】個別に独立したバックミラー本体（１）と、サポート・ブロック（２）とが、相互に組み合わせられ、それぞれ異なるブランドの車両に予め配設される、バックミラーの向きを設定するための壁部に合せて個別の結合ベース（３）を成形することによって、機動性が優れ、且つ安定に取り付けられ、且つ複数の仕様を選択使用できるようにする。【選択図】図１
0003106599.tif 000002
【実用新案登録請求の範囲】
【請求項１】
個別に独立したバックミラー本体と、サポート・ブロックとが、相互に組み合わせられた後に、それぞれの車両の種類の設計に合わせて作られた結合ベースに組立てて方位の制限を加えるようにすることによって、予め設計された造形を有するバックミラー本体とサポート・ブロックとを共用仕様になるように加工することにより、それぞれ異なるブランドの車両に予め配設されるバックミラー方位を設定するための壁部に合せて個別の結合ベースを成形することによって、機動性が優れ、且つ安定に取り付けられ、且つ複数の仕様を選択使用できるように設計したことを特徴とする、バックミラー組立部品。
【請求項２】
前記のバックミラー本体の着脱用側には収納区域が凹んで形成され、且つその収納区域においてはボルト段が突出形成され、その収納区域の造形に該当するサポート・ブロックが穿孔を介して組立てることに供し、他に、結合ベースにおいては、それぞれの種類の車両の壁部の造形に応じてそれぞれ異なる仕様のベース体を作り出し、その結合ベースのある端部のネジ穴を介して前記のバックミラー本体のボルト段の螺合結合に供し、且つ前記の結合ベースの車両壁部に結合される端部に凹み穴を形成させ、そこに付勢部材とナットとを収納して本体の突出形成されるボルト段に対し一体になるように結合を実行するようにしたことを特徴とする、請求項１に記載のバックミラー組立部品。
【請求項３】
前記の本体に突出形成されるボルト段として包囲射出成形加工によって作製されるものを好適に使用することができることを特徴とする、請求項１に記載のバックミラー組立部品。
【請求項４】
前記本体に突出形成されるボルト段として独立した部材を組立てる方式を採用することができ、その本体にネジ穴を形成させてから、その両側に位置決めリブを延出形成させることによって、螺着された部材の変位を制限することを特徴とする、請求項１に記載のバックミラー組立部品。
【請求項５】
前記のサポート・ブロックとして光線透過可能な材質からなるものを好適に採用でき、その内部の収納空間にはＬＥＤランプを配設することによって、夜間に警告を出す手段として利用するとともに、美観性を増加できる効果を有することを特徴とする、請求項１に記載のバックミラー組立部品。
【請求項６】
前記の本体と前記のサポート・ブロックとを一体射出成形によって作製し、且つそれぞれ異なる車両の種類に合せて作製される結合ベースを合せて一体になるように連結加工することを特徴とする、請求項１に記載のバックミラー組立部品。
【考案の詳細な説明】
【技術分野】
【０００１】
本考案は、バックミラー組立部品に係わり、特にそれぞれ異なるブランドの車両の両側面のバックミラーが取付けられる壁部に対応する結合ベースを作製し、また、それぞれの造形を有するバックミラーとサポート・ブロックを作製することによって、それぞれ異なる種類の車両に対応して組立てることを実施することによって、それぞれの車両の全セットのバックミラーのケーシングを開発するための膨大的なコストを低下させるとともに、在庫管理を簡易化することを特徴とする、バックミラー組立部品に関するものである。
【背景技術】
【０００２】
今まで国内外で販売されている車両のブランドは多数あり、例えば、トヨタとか、ベンツとか、ＢＭＷとか、それぞれ異なるタイプの車両が流通しており、その中で、それぞれ異なるタイプの車両において最も壊れやすい部分がバックミラーであり、従来のバックミラー組立部品は大体が一体成形のものを使用し、図８に示すように、それらは、それぞれの種類の車両のバックミラー（１０）が取付けされる車両の両側面の壁部の造形に合わせて、嵌合部（２０）をバックミラー（１０）に対し一体成形するように加工をし、また、前記のバックミラー（１０）の嵌合部（２０）の外周縁部にはプラスチック材料からなる保護パッド（３０）を包み、最後に、その保護パッド（３０）の重心近傍に螺着部材（５０）を利用して事前にパンチ加工形成された連結部（４０）をバックミラー（１０）の一端に成形される嵌合部（２０）と螺合結合して一体となるように加工する。こうすると、所定のブランドの車両の両側面の壁部に合せて緊密な結合を実行できるようになる。他に、関連業者が他のブランドの車両の両側面の壁部に対し同じような造形のバックミラー（６０）を取り付けようとする場合（図９参照）、他の同じような形状の成形型を作製して予め形状が設定されたバックミラー（６０）を製造する必要があるとともに、そのバックミラー（６０）の取付け部に一体成形によって丁度その縁部にぴったりと付着できる他の嵌合部（７０）を作製する必要がある。それとともに、その嵌合部（７０）の外周縁部にプラスチック材料からなる保護パッド（８０）を緊密的に包み、最後に、その保護パッド（８０）の重心近傍に他の螺着部材を利用してパンチ加工成形される他の連結部（図６参照）とバックミラーの一端の嵌合部（７０）とを一体になるように螺合結合する必要がある。このような方法を実施することによって、自動車の両側面の壁部に対し確実にバックミラーを取り付けられるようになる。
【０００３】
今までのバックミラー・組立部品の製品は、それぞれのブランドの車両に安定して組立てることはできるが、従来のバックミラー組立部品については、関連業者は大量に製造する場合では、下記のような多くの課題が存在している：
（１）バックミラー組立部品のそれぞれの部材は、加工される際に、それぞれ異なる形式の車両の両側面の壁部の様態に合せて造形を設計する必要があり、且つ複数個の成形型を作製することによってそれぞれ異なる形式の車両のバックミラー組立部品のニーズに対応する必要があり、そうすることにより、安定した組立を確保できる（図８と図９参照）。即ち、それぞれのタイプの自動車に対応して一セットの成形型を作成して、それぞれのタイプの自動車に対応できるようなバックミラー組立部品を作り出す必要があるので、従来のバックミラー組立部品の成形型の作製コストをかなり高価にすることがある。
（２）専ら自動車部材を販売する業者が注文をする場合に、一回に注文したバックミラー組立部品の数量が少数である場合、バックミラー組立部品のメーカはその単価を上げなければならなくなり、そのため、消費者は数の少ない単品のバックミラー組立部品を購入する場合に、高い代価を支払わなければならなくなってしまう。
【考案の開示】
【考案が解決しようとする課題】
【０００４】
そのため、本考案の考案者は、従来の自動車の部材のバックミラー組立部品に関して、業者が成形型を作製する場合、且つ材料の在庫を管理する場合に、莫大な資金とスペースを投与する必要があるとともに、従来の製造方式による場合では、メーカと消費者とは皆が多くの代価を負担する必要があるなどの多くの課題に鑑みて、研究開発を進めるとともに、学術の運用を合せて極めた結果、とうとう設計が合理的で、効果的に前記従来物のそれぞれの課題を解消可能な本考案のバックミラー組立部品のものを提出するに至った。
【課題を解決するための手段】
【０００５】
本考案は、バックミラー組立部品の主体部分の構成の共通性を利用するとともに、それぞれのブランドの車両の嵌合部の形状と仕様に従って個別に適用される部材を開発し、消費者がそれぞれ異なるブランドの車両のバックミラー組立部品を購入する場合に、共通性のある主体部材とそれぞれ異なる車種に合せて開発した組立部材とを購入することによって、自分で組立てることにより、販売店が購入するバックミラー組立部品のコストを低下させることができるので、消費者が購買する場合に従来より安価な価格で、共通する部分を有し、それぞれ異なるタイプの車両にすべて適用できる製品を購入できる。
【０００６】
本考案による場合では、それぞれのタイプのバックミラー組立部品の共通の部分を統一して同一の成形型を作製すればよく、また、それぞれ異なる車種に従って共通でない結合部分を作製すればよい。これにより、製造業者と販売店とが部材の在庫数を減少できるとともに、成形型の作製減少でき、コストダウンの目的を達成でき、且つ使用者は自分の趣味に従って適当にそれぞれの部材を組立てて自分の好きなタイプのバックミラーを組立製作できるので、好適な製品をマーケットに流通させることができるような効果をも取得できる。
【考案を実施するための最良の形態】
【０００７】
本考案によるバックミラー組立部品については、図１と図２に示すように、主に、個別に成形型を作製してそれぞれ製造されるバックミラー本体（１）と、サポート・ブロック（２）と、結合ベース（３）などの部材からなるものである。
【０００８】
前記のバックミラー本体（１）は、それぞれ異なるブランドのそれぞれ異なる車種の造形に合せて個別に成形型を作製して製造されるそれぞれ異なる外形を有する製品であり、また、単一の成形型によって作製される共通した製品を採用してもよく、その内部の構造には、ミラー構造が取り付けられ、また、その本体（１）の取り付け側に近接する部分には所定の深さを有する収納区域（１１）が形成され、その収納区域（１１）内には包囲成形されるボルト段（１２）が延出配設されている。
【０００９】
また、前記のサポート・ブロック（２）は、前記のバックミラー本体（１）の凹んで形成される収納区域（１１）の幅によって決められる適宜な造形に形成され、その本体（１）に隣接する側には収納空間（２１）（図３参照）が凹んで形成され、且つそのサポート・ブロック（２）の中心部には穿孔（２２）が形成されている。
【００１０】
また、前記の結合ベース（３）については、その外形がそれぞれ異なるブランドのそれぞれ異なる車種の壁部の造形に対応して、それぞれ異なる形状と仕様を有するベース体が形成されており、その結合ベース（３）の壁部に近接する部位には適当な深さを有する凹み穴（３１）が形成され、且つその結合ベース（３）の前記のサポート・ブロック（２）に近接する側にはネジ穴（３２）が形成されている。
【００１１】
その組立作業の実施については、図３に示すように、サポート・ブロック（２）の穿孔（２２）と結合ベース（３）のネジ穴（３２）を順次、本体（１）におけるボルト段（１２）に螺合して一体にし、また、付勢部材（４）を前記のボルト段（１２）の末端部に取り付け、それからナット（５）によって螺合してそれぞれの部材を結合し、且つ前記の付勢部材（４）によって本体（１）をサポート・ブロック（２）に対し角度の変更を実行できるように加工を実施する。
【００１２】
本考案は、それぞれ異なるブランドのそれぞれ異なる車種に従って個別に成形型を作製してバックミラー組立部品の部材を作製する場合は、専ら自動車部材を販売する代理店の商人は、製造メーカに対し必要とする仕様と外形を有するバックミラー組立部品を注文する場合に、単に、予め造形されたバックミラー本体（１）とサポート・ブロック（２）との共通の仕様（または異なる仕様）の部材を購入して、それぞれ異なるブランドの車両のバックミラー・組立部品を取り付けるための壁部に応じて作製されるそれぞれの結合ベース（３）を合せて使用すると、機動性を有する好適な選択を実行できるとともに、もっと多くの仕様のバックミラー組立部品の速やかな取り付けを実行できる。
【００１３】
また、本考案におけるバックミラー組立部品においては、その本体（１）内における包囲射出成形されるボルト段（１２）については、図５と図６に示すように、その本体（１）の内部にネジ穴（１３）を形成させつつ、そのネジ穴（１３）の両側に位置決めリブ（１４）を突出成形させ、螺着部材（１５）を収納区域（１１）外へ延伸突出させるように位置決めする。こうすると、サポート・ブロック（２）と結合ベース（３）の関連部材などに対し他の種の速やかな組立様態を提供できる。
【００１４】
また、本考案の設計によるサポート・ブロック（２）として、光線通過可能な材料からなるものを好適に採用でき、その内部空間（２１）内にＬＥＤランプを取り付けると、それを発光させることができ、夜間においては警告の機能と美感を増す効果を実現できる。
【００１５】
他に、本考案のバックミラー組立部品において、前記の本体（１）と前記のサポート・ブロック（２）とを一体になるように成形するものを作ることができる（図４と図７参照）。
【産業上の利用可能性】
【００１６】
本考案の設計によるバックミラー組立部品については、成形型を作成する場合と、一般のパーツ業者に商品を提供する場合では、少なくとも下記のような優れた産業上の利用可能性を有している：
（１）製造業者はバックミラー組立部品のそれぞれの部材の成形型を作製する場合に、それぞれ異なるブランドのそれぞれ異なる車種の共通性を有する部分（例えば前記の本体とサポート・ブロックなど）を個別に成形型を作製し、それぞれ異なる車種の外形仕様に合わせて仕上げられた結合ベースを合わせて販売、使用する。こうすることにより、業者は許容できる部分を有するバックミラー組立部品を生産及び納品でき、在庫数を大幅に減少できるとともに、成形型の作製数量と作製コストを大幅に降下させることができ、且つ複数種の共用性を有する部材をそれぞれ異なる形状と模様に生産できるので、マーケットにおける競争力を大幅に向上できる。
（２）専ら自動車部材を販売する業者に対しては、共用性を有する部材を多く買って、且つ共用性を有しない部材を場合によって選択購入すると、複数のブランドの複数の車種に対して選択的に使用できるので、利便性を向上できるとともに、代理業者の競争力を大幅に向上でき、且つバックミラー組立部品を交換するためのコストを大幅に降下させることもできるようになっている。
（３）本考案の開発考案した自動車のバックミラーの製品は、マーケットにおけるそれぞれ異なるブランドのそれぞれ異なる車種のそれぞれ異なるニーズに機動的に対応できるので、製品の選択性を向上できるとともに、製品のコストを大幅に低減させることもできるので、消費流通に利する経済的特性をも有している。
【図面の簡単な説明】
【００１７】
【図１】本考案のバックミラー組立部品を示す外見斜視図である。
【図２】本考案のバックミラー組立部品を示す分解斜視図である。
【図３】本考案のバックミラー組立部品を示す一部断面図である。
【図４】本考案のバックミラー組立部品の本体とサポート・ブロックとの一体成形の場合を示す一部断面前面図である。
【図５】本考案のバックミラー組立部品の他の形態を示す外見斜視図である。
【図６】本考案のバックミラー組立部品の他の形態を示す一部断面前面図である。
【図７】本考案のバックミラー組立部品の他の形態の本体とサポート・ブロックを示す一部断面前面図である。
【図８】従来の形式のバックミラー組立部品を示す外見斜視図である。
【図９】従来の他の形式のバックミラー組立部品を示す外見斜視図である。
【符号の説明】
【００１８】
（１）      本体
（２）      サポート・ブロック
（３）      結合ベース
（４）      付勢部材
（５）      ナット
（１０）    バックミラー組立部品
（１１）    収納区域
（１２）    ボルト段
（１３）    ネジ穴
（１４）    位置決めリブ
（１５）    螺着部材
（２０）    嵌合部
（２１）    収納空間
（２２）    穿孔
（３０）    保護パッド
（３１）    凹み穴
（３２）    ネジ穴
（４０）    連結部
（５０）    螺着部材
（６０）    バックミラー組立部品
（７０）    嵌合部
【図１】
0003106599.tif 000003
【図２】
0003106599.tif 000004
【図３】
0003106599.tif 000005
【図４】
0003106599.tif 000006
【図５】
0003106599.tif 000007
【図６】
0003106599.tif 000008
【図７】
0003106599.tif 000009
【図８】
0003106599.tif 000010
【図９】
0003106599.tif 000011